(57)【要約】【課題】入浴中の使用者に向かって送風する浴室送風装置において、適切な設置形態であり、かつ入浴中の使用者が不快を感じることなく、気流を浴びて爽快な気分を感じることができ、なおかつ騒音が小さい浴室送風装置を提供することを目的とする。【解決手段】入浴中の使用者７に向けて送風する送風部２を備え、吹出し口２ｂから送風された風が、入浴中の使用者７の背面に当たる側壁８に沿って下方の浴槽６に送られるようにすることにより、吹出し口２ｂから吹出した気流が入浴中の使用者７の頭頂部またはそれよりも背面側、つまり頭頂部、後頭部、首筋、肩まわりに主に当たるので、入浴中の使用者７が不快を感じることなく爽快な気分を感じることができる。さらに吹出し口２ｂから吹出した風が側壁８に沿って進むことで、コアンダ効果と上昇気流に遮られないことの相乗効果により比較的少ない風量と風速で入浴中の使用者７に届くので、騒音を小さくできる。【選択図】図１
2019044390.tif 000002
【特許請求の範囲】
【請求項１】
吹出し口が浴室の天井面に設けられた浴室送風装置において、前記吹出し口から送風された風が、入浴中の使用者の背面側となる一側壁に沿って下方の浴槽へ送風されることを特徴とする浴室送風装置。
【請求項２】
前記吹出し口は、入浴中の使用者の背面に当たる一側壁に平行な方向に延在するスリット形状であることを特徴とする請求項１に記載の浴室送風装置。
【請求項３】
前記吹出し口は、入浴中の使用者の背面に当たる一側壁に近接するように設けられていることを特徴とする請求項１または２に記載の浴室送風装置。
【請求項４】
請求項１に記載の浴室送風装置を備えたことを特徴とする浴室ユニット。
【請求項５】
入浴中の使用者に送風する浴室の送風方法において、前記浴室送風装置の吹出し口から送風される風が、入浴中の使用者の背面側となる一側壁に向かって送風され、前記一側壁に沿って下方の浴槽へ送風されることを特徴とする浴室の送風方法。
【請求項６】
入浴中の使用者に送風する浴室送風システムにおいて、前記浴室送風装置の吹出し口から送風される風が、入浴中の使用者の背面側となる一側壁に向かって送風され、前記一側壁に沿って下方の浴槽へ送風されることを特徴とする浴室送風システム。
【発明の詳細な説明】
【技術分野】
【０００１】
本発明は、浴室の天井裏等に設置され、浴槽内の入浴中の使用者に向かって送風する浴室送風装置および浴室ユニットに関するものである。
【背景技術】
【０００２】
従来、この種の浴室送風装置としては、浴室の天井裏に設置され、入浴中の使用者の頭部や顔面付近に向けて送風するものが知られている（例えば、特許文献１参照）。以下、その浴室送風装置について図３を用いて説明する。
【０００３】
図３に示す浴室送風装置１０１は浴室の天井裏に設置され、入浴中の使用者の顔面に向かって送風することができ、使用者の体感温度を下げ、爽快感を与えることができる。
【０００４】
また、この種の浴室送風装置としては、浴室の側壁外部に設置され、入浴中の使用者の後頭部に向けて送風するものが知られている（例えば、特許文献２参照）。以下、その浴室送風装置について図４を用いて説明する。
【０００５】
図４に示す浴室送風装置１０２は浴室の側壁外部に設置され、ダクトを通して入浴中の使用者の後頭部付近から直接使用者に向かって風を吹き出すことができ、使用者の体感温度を下げ、爽快感を与えることができる。
【先行技術文献】
【特許文献】
【０００６】
【特許文献１】実開平７−１０２６４号公報
【特許文献２】実開平４−７０９３３号公報
【発明の概要】
【発明が解決しようとする課題】
【０００７】
このような従来の浴室送風装置においては、天井裏に設置され、入浴中の使用者の顔面に向かって前方から送風する場合、蒸発潜熱による冷却効果が高いが、一方で顔面は比較的敏感な部位であるため、使用者が送風によって不快になるという課題があった。また、浴槽からの湯気の上昇気流に遮られるため、吹出し口から入浴中の使用者の顔面まで風を届かせるのにある程度の風量と風速が必要になり、送風装置からの騒音が大きいという課題があった。
【０００８】
また、入浴中の使用者の後頭部に向かって送風する場合、浴室送風装置を通常の設置場所である天井面では無く、側壁外部に設置する必要があり、側壁に送風機のダクトを通すことは断熱、気密の点で施工が困難であるという課題があった。
【０００９】
そこで本発明は、上記の課題を解決するものであり、浴室送風装置として施工容易な設置形態であり、かつ入浴中の使用者が不快を感じることなく、気流を浴びて爽快な気分を感じることができ、なおかつ騒音が小さい浴室送風装置を提供することを目的とする。
【課題を解決するための手段】
【００１０】
そして、この目的を達成するために、本発明に係る浴室送風装置は、吹出し口が浴室の天井面に設けられた浴室送風装置において、前記吹出し口から送風された風が、入浴中の使用者の背面側となる一側壁に沿って下方の浴槽へ送風されることを特徴とする浴室送風装置であり、これにより所期の目的を達成するものである。
【発明の効果】
【００１１】
本発明の構成は送風装置を天井裏に配置可能な施工の形態である。また本発明の構成により、吹出し口から吹出した気流が入浴中の使用者の頭頂部またはそれよりも背面側、つまり頭頂部、後頭部、首筋、肩まわりに主に当たるので、気流の冷却効果による爽快感を与えつつ、使用者の顔に前方から気流が当たるような不快感を与えることがない。さらに吹出し口から吹出した風は、側壁に沿って進むことで発生するコアンダ効果と浴槽からの上昇気流に遮られないことの相乗効果により風量と風速を低減させ、入浴中の使用者に送風することができる。
【００１２】
また、風量と風速を低減させることで、送風装置から発生する騒音を低減できる。
【００１３】
従って本発明によって、施工の設置形態を容易にし、かつ入浴中の使用者が不快を感じることなく気流を浴びて爽快な気分を感じることができる。さらに、送風装置から発生する騒音が小さいという効果を得ることができる。
【図面の簡単な説明】
【００１４】
【図１】本発明の実施の形態１の浴室送風装置１の構成を示す概略図
【図２】浴室送風装置１及び吹出し口２ｂと浴槽６内の入浴中の使用者７との位置関係を天井面から見た概略上面図
【図３】浴室送風装置１０１の構成を示す概略図
【図４】浴室送風装置１０２の構成を示す概略図
【発明を実施するための形態】
【００１５】
本発明に係る浴室送風装置は、吹出し口が浴室の天井面に設けられた浴室送風装置において、吹出し口から送風された風が、入浴中の使用者の背面に当たる一側壁に沿って下方の浴槽へ送風されるという構成を有する。
【００１６】
これにより、送風装置を天井裏に配置することが可能であり、浴室送風装置として施工容易な形態にすることができる。
【００１７】
また、吹出し口から吹出した気流が入浴中の使用者の頭頂部またはそれよりも背面側、つまり頭頂部、後頭部、首筋、肩まわりに主に当たるので、気流の冷却効果による爽快感を与えつつ、使用者の顔に前方から気流が当たるような不快感を与えることがない。
さらに吹出し口から吹出した風が側壁に沿って進むことで発生するコアンダ効果と浴槽からの上昇気流に遮られないことの相乗効果により風量と風速を低減させ、入浴中の使用者に送風することができる。また、風量と風速を低減させることで、送風装置から発生する騒音を低減することができる。
【００１８】
従って本発明によって、施工の設置形態を容易にし、かつ入浴中の使用者が不快を感じることなく気流を浴びて爽快な気分を感じることができる。さらに、送風装置から発生する騒音が小さいという効果を得ることができる。
【００１９】
また、吹出し口は、入浴中の使用者の背面に当たる一側壁に平行な方向に延在するスリット形状であるという構成にしてもよい。
【００２０】
これにより、入浴中の使用者の両肩と頭部を包含する領域に効率よく送風することが可能になり、一部分にのみ気流が当たる不快感を低減でき、より上質な爽快感を与えるという効果を得ることができる。
【００２１】
また、吹出し口は、入浴中の使用者の背面に当たる一側壁に近接するように設けられている構成にしてもよい。
【００２２】
これにより、吹出し口が入浴中の使用者のほぼ真上に位置することになるので、吹出し口からほぼ真下に側壁に沿って風を吹出すことにより、コアンダ効果を最大限に利用することができ、気流の冷却効果による爽快感をさらに向上させることができる。また、効果的なコアンダ効果によって、風量と風速をさらに低減させることで、送風装置から発生する騒音を低減することができる。
【００２３】
以下、本発明の実施の形態について図面を参照しながら説明する。
【００２４】
（実施の形態１）
はじめに浴室送風装置１の構成について、図１を用いて説明する。図１は浴室送風装置１の構成を示す概略図である。図１に示すように、浴室送風装置１は浴室の天井裏に設置され、送風部２、筐体３、パネル４、操作パネル５を備えている。
【００２５】
送風部２は、吸込み口２ａ、吹出し口２ｂ、吸込み口２ａと吹出し口２ｂをつなぐ風路２ｃ、風路２ｃの中にあるファン２ｄ、ファン２ｄを動かすモーター（モーターは図示せず）を備えている。吹出し口２ｂは入浴中の使用者７の背面に当たる側壁８と平行な方向に延在するスリット形状であり、また側壁８に近接して設けられている。
【００２６】
操作パネル５は、浴室送風装置１の運転制御、送風量、送風方向の制御を行うことができる。操作パネル５は、浴室送風装置１の送風部２の制御部に電気的に信号を送信することで浴室送風装置１の運転制御、送風量、送風方向の制御を行う。
【００２７】
操作パネル５は使用者が送風開始と送風終了を指示するためのスイッチを備えている。一般的に、使用者７が洗い場で体を洗った後に浴槽６に入った状態で送風開始を指示するという使用形態が想定されるため、操作パネル５は浴室内の特に浴槽６から使用者７の手が届く範囲に配置することが望ましい。
【００２８】
次に、浴室送風装置１の動作について図１及び図２を用いて説明する。図２は、浴室送風装置１及び吹出し口２ｂと浴槽６内の入浴中の使用者７との位置関係を天井面から見た概略上面図である。
【００２９】
浴室送風機１の動作としては、使用者７が操作パネル５を操作することによって送風部２が作動し、使用者７に向けて送風されるというものである。送風部２としては、浴室内部の空気を吸込み口２ａから吸って、ファン２ｄから吹出した気流が吹出し口２ｂから再度浴室内部に吹出す仕組みになっている。
【００３０】
浴室送風装置１のパネル４は、平板状の形状をしており、平面視が長方形状である。このパネル４の対向する一対の短辺にそれぞれ近接する位置に吸込み口２ａと吹出し口２ｂとが対向するように設けられている。吸込み口２ａと吹出し口２ｂとは所定の距離（１５ｃｍ以上）を設けてパネル４に形成されている。
【００３１】
このとき、吹出し口２ｂから送風された風が、入浴中の使用者７の背面に当たる側壁８に沿って下方の浴槽６へ送風されるように、吹出し口２ｂの位置及び吹出し風向を設定するものとする。このように設定することにより、図１に示す通り、吹出し口２ｂから吹出した風は側壁８に沿って下降し、入浴中の使用者７の後頭部を中心とした範囲に気流が当たる。主に気流が当たる範囲は図２の灰色の円で示した範囲９である。
【００３２】
このように、浴室送風装置１は吹出し口２ｂから吹出した気流が入浴中の使用者７の頭頂部またはそれよりも背面側、つまり頭頂部、後頭部、首筋、肩まわりに主に当たるので、気流の冷却効果による爽快感を与えつつ、使用者７の顔に前方から気流が当たるような不快感を与えることがない。
【００３３】
さらに吹出し口２ｂから吹出した風が側壁８に沿って進むことで発生するコアンダ効果と浴槽からの上昇気流に遮られないことの相乗効果により風量と風速を低減させ、入浴中の使用者７に送風することができる。また、風量と風速を低減させることで、送風部２から発生する騒音を低減できる。
【００３４】
また吹出し口２ｂは入浴中の使用者７の背面に当たる側壁８と平行な方向に延在するスリット形状なので、入浴中の使用者７の両肩と頭部を包含する領域に効率よく送風することが可能になり、使用者７の体の一部分にのみ気流が当たる不快感を与えず、より上質な爽快感を与えることができる。
【００３５】
また吹出し口２ｂは側壁８に近接して設けられているので、吹出し口２ｂが入浴中の使用者７のほぼ真上に位置することになり、吹出し口２ｂからほぼ真下に側壁８に沿って風を吹出すことにより、コアンダ効果を最大限に利用することができ、気流の冷却効果による爽快感をさらに向上させることができる。また、効果的なコアンダ効果によって、風量と風速をさらに低減させることで、送風部２から発生する騒音を低減することができる。
【００３６】
なお、吸込み口２ａは他の場所（例えば脱衣室や外気）から空気を吸込むように構成し、他の場所の空気を浴槽６内の入浴中の使用者７に向かって吹出すようにしてもよい。その場合、浴室内部よりも低温低湿の空気を浴槽６内の入浴中の使用者７に当てることができ、送風による冷却効果はより一層大きいものになる。
【００３７】
なお、送風部２の送風量は可変するように構成されていてもよい。具体的な送風量の可変手段は、モーターがＤＣモーターであり、数段階のノッチで回転数を変更することである。モーターの回転数をより多くの段階で切り替えることも可能であり、さらに回転数を段階的に切り替えるのではなく、連続的に変化させても良い。
【００３８】
また、入浴中の使用者に送風する浴室の送風方法として、浴室送風装置の吹出し口から送風される風が、入浴中の使用者の背面側となる一側壁に向かって送風され、一側壁に沿って下方の浴槽へ送風する方法としてもよい。このような方法は、浴室送風機の送風方向の制御として用いられる。具体的には、浴室送風機の制御を行う回路基板に実装されたマイコン等に送風方法のプログラムをメモリから出力することで上記の送風方法を実現できる。
【００３９】
また、入浴中の使用者に浴室送風機より送風する浴室送風システムとして、浴室送風装置の吹出し口から送風される風が、入浴中の使用者の背面側となる一側壁に向かって送風され、一側壁に沿って下方の浴槽へ送風する浴室送風システムとしてもよい。このようなシステムは、浴室送風機の送風方向の制御として用いられる。具体的には、浴室送風機の制御を行う回路基板に実装されたマイコン等に送風方法のプログラムをメモリから出力することで上記の送風システムを構築することができる。他の浴室送風システムとして、通信端末と浴室送風装置の制御部とが通信によって接続され、通信端末からの運転指令によって浴室送風機が運転する浴室送風システムとすることも可能である。
【産業上の利用可能性】
【００４０】
本発明に係る浴室送風装置は、適切な設置形態であり、かつ入浴中の使用者が不快を感じることなく気流を浴びて爽快な気分を感じることができ、なおかつ騒音が小さいものなので、浴室の天井裏等に設置され、入浴中の使用者に向かって送風する浴室送風装置等として有用である。
【符号の説明】
【００４１】
１，１０１，１０２    浴室送風装置
２    送風部
２ａ    吸込み口
２ｂ    吹出し口
２ｃ    風路
２ｄ    ファン
３    筐体
４    パネル
５    操作パネル
６    浴槽
７    使用者
８    入浴中の使用者の背面に当たる側壁
９    吹出し口から吹出した気流が当たる範囲
【図１】
2019044390.tif 000003
【図２】
2019044390.tif 000004
【図３】
2019044390.tif 000005
【図４】
2019044390.tif 000006